(57)【特許請求の範囲】
【請求項１】
所定間隔で対向配置されたラック列間に形成されたラック間通路を、天井部と入口扉とによって遮蔽したラック間通路遮蔽構造において、
入口扉をスライド自在に支持する扉レールを両側のラックから突設し、それらの先端を両側の扉レール先端の位置ずれを吸収できる調整部を介して連結するとともに、この調整部の内部に扉自動閉鎖機構を収納したことを特徴とするラック間通路遮蔽構造。
【請求項２】
扉レールを、入口扉がスライドするスライドレールと支持レールとから構成し、支持レールに調整部を取付けたことを特徴とする請求項１記載のラック間通路遮蔽構造。
【請求項３】
支持レールの下側にスライドレールを取付けたことを特徴とする請求項２記載のラック間通路遮蔽構造。
【請求項４】
支持レールに、スライドレールとダンパーとを取付けたことを特徴とする請求項２記載のラック間通路遮蔽構造。
【請求項５】
支持レールを断面コの字状とし、その内側にダンパーを配置したことを特徴とする請求項２記載のラック間通路遮蔽構造。
【請求項６】
扉自動閉鎖機構が、ワイヤリールであることを特徴とする請求項１記載のラック間通路遮蔽構造。
【発明の詳細な説明】
【技術分野】
【０００１】
本発明は、対向配置されたラック列間に形成されるラック間通路の遮蔽構造に関するものである。
【背景技術】
【０００２】
データセンター等においては、多数のラックをラック列として所定間隔で対向配置し、それらの間に形成されるラック間通路を天井部と入口扉とによって遮蔽して閉空間とし、このラック間通路を冷却空気供給路として利用することが行われている。特許文献１に示されるように、冷却空気は床面に設けた冷気吹き出し口からラック間通路に供給され、ラックの前面の吸入口からラック内に吸入されて冷却が行われる。
【０００３】
近年、企業のＩＴ利用が急激に増加しており、それに伴うデータセンター等における電力消費量の問題が顕在化している。電力の大半はサーバを冷却するために消費されているため、ラック間通路から冷却空気が無駄に漏洩することを防止し、冷却効率の低下を防止することが求められる。
【０００４】
しかし、ラック間通路は作業者がラックにアクセスするために設けられたものであるから、作業者は入口扉を開いて出入りすることとなる。このとき扉が長く開いたままであると、冷却空気が漏洩して冷却設備の熱効率が低下する。そこで入口扉を支持するレールを傾斜し、自重で入口扉が閉じるようにすることも考えられるが、ドア同士のはね返りや外部との圧力差で最後まで閉まらない問題が発生する場合がある。また、支持レールの傾斜により見栄えが悪くなる問題もある。
【先行技術文献】
【特許文献】
【０００５】
【特許文献１】特開２０１０−１６８７６９号公報
【発明の概要】
【発明が解決しようとする課題】
【０００６】
従って本発明の目的は上記した従来の問題点を解決し、作業者が通過後は入口扉が自動的に閉じるようにして冷却空気の漏洩を防止することができ、しかも見栄えのよいラック間通路遮蔽構造を提供することである。
【課題を解決するための手段】
【０００７】
上記の課題を解決するために、本発明では入口扉をスライド自在に支持する扉レールを両側のラックから突設し、それらの先端を両側の扉レール先端の位置ずれを吸収できる調整部を介して連結するとともに、この調整部の内部に扉自動閉鎖機構を収納した構造とした。好ましい実施形態では、扉自動閉鎖機構としてワイヤリールが用いられている。
【０００８】
なお、扉レールを入口扉がスライドするスライドレールと支持レールとから構成し、支持レールに調整部を取付けた構造とすることが好ましい。また支持レールの下側にスライドレールを取付けた構造とすることができる。また、支持レールにスライドレールとダンパーとを取付けた構造とすることができ、さらに支持レールを断面コの字状とし、その内側にダンパーを配置した構造とすることができる。
【発明の効果】
【０００９】
本発明のラック間通路遮蔽構造によれば、両側のラックから突設した扉レールの先端を位置ずれを吸収できる調整部を介して連結するので、扉レールの合わせ作業が容易になるとともに、見栄えを良くすることができる。また扉レールの間の調整部の内部に扉自動閉鎖機構が収まり、コンパクトで構造が簡単となる。しかも作業者が入口扉を開いた場合にも、扉自動閉鎖機構が入口扉を自動的に閉じるので、ラック間通路から冷却空気が漏れることが防止される。
【００１０】
また、扉レールを入口扉がスライドするスライドレールと強度を備える支持レールとからなるものとすれば、スライドレールを簡単な構造とすることができる。またこの支持レールの下側にスライドレールを配置すれば、入口扉やスライドレールがラックの側面から大きく突出することがなくなる。
【００１１】
また、支持レールにスライドレールとダンパーとを取付けた構造とすれば、支持レールに調整部を取付けるだけでよく、スライドレールやダンパーを個々に調整する作業は不要となる。さらに支持レールを断面コの字状とし、その内側にダンパーを配置した構造とすれば、コンパクトにダンパーを配置することができる。
【図面の簡単な説明】
【００１２】
【図１】ラック間通路遮蔽構造を示す正面図である。
【図２】ラック間通路遮蔽構造を示す斜視図である。
【図３】入口扉の支持構造を示す断面図である。
【図４】扉レールの取付構造を示す斜視図である。
【図５】調整部を示す斜視図である
【図６】要部の正面図である。
【図７】要部の斜視図である。
【図８】入口扉を開いたときのダンパーを示す正面図である。
【発明を実施するための形態】
【００１３】
以下に本発明の好ましい実施形態を示す。
図１は本発明のラック間通路遮蔽構造を示す正面図、図２はその斜視図である。１、１はラック列の端部に位置するラックであり、その内部にはサーバその他の機器が収納されている。データセンター等においては、図１の紙面奥側に同一サイズの多数のラックが配置され、ラック列を形成している。これらのラック列は所定間隔で対向配置され、それらの間にラック間通路が形成されている。図２に示すように、ラック間通路は天井部２と入口扉３とによって遮蔽され、閉空間となっている。なお入口扉３の反対側はパネルにより封止するか、同様の扉を設けておくものとする。
【００１４】
天井部２は、両側のラック１の内側上部に台部材４を取付け、それらの上に天井板５を橋渡すように載せた構造である。左右いずれか一方の側では台部材４と天井板５とは弾性ゴム６を介して固定されているが、他方の側では天井板５は単に台部材４の上に載せ、自由に動くことができるようになっている。このためラック列の設置時の誤差を吸収するとともに、地震が発生したときには天井板５が自由に動いて揺れを吸収できるようになっている。天井板５としては、合成樹脂板または金属板を使用することができる。
【００１５】
入口扉３は左右両側に設けられた両開き構造のものであり、両側のラック１からラック間通路の向けて突設された扉レール７にスライド可能に支持されている。図３は入口扉３の支持構造を示す断面図である。図３に示すように扉レール７は断面がコの字状の支持レール８と、支持レール８の下面に固定された逆Ｕ字状のスライドレール９とからなる。この実施形態では支持レール８は強度の大きい鋼鉄製とし、スライドレール９はアルミニウム製の押出し部材である。ただし支持レール８とスライドレール９とは一体のものとしてもよい。
【００１６】
図４に示すように、支持レール８はラック１の天井に内側取付金具１０と外側取付金具１１とによって強固に取り付けられている。内側取付金具１０は前記した台部材４に隣接配置されている。
【００１７】
図３に示したように、入口扉３の上端から突設された滑車１２がスライドレール９の内部に支持されているため、スライドレール９に沿って入口扉３を開閉することが可能である。なお図３に示される１３は断面がコの字状の支持レール８の内部に延びる規制片であり、その下部は入口扉３に固定されている。その役割については後述する。
【００１８】
支持レール８は左右両側のラック１からラック間通路の方向に突設されたものであり、図５に示すように両側の支持レール８の先端は調整部１４を介して連結されている。調整部１４は両側に左右方向に延びる調整孔１５を備え、支持レール８の先端の位置ズレを吸収しつつネジ１９によって左右の支持レール８を連結する役割を持つ。このため両側の支持レール８を水平に維持し、見栄えを良くすることができる。
【００１９】
この調整部１４には、左右一対の扉自動閉鎖機構１６が収納されている。この実施形態では扉自動閉鎖機構１６はワイヤリールであり、巻取り方向に付勢されたリールにワイヤ２０を巻き付けた構造である。ワイヤ２０の先端は支持レール８の内部に延び、図８に示すように各入口扉３の規制片１３の上端に固定されている。このため入口扉３を開いて手を離せば、ワイヤリールがワイヤを巻き取るため、各入口扉３は中央に引き寄せられ、自動的に通路を閉鎖する。
【００２０】
左右の入口扉３が中央で激しく閉じることを防止するため、図６、図７に示すように、断面コの字状の左右の支持レール８の内側にダンパー１７がそれぞれ配置されている。入口扉３が閉じた状態においてはダンパー１７のロッド１８の先端は縮んだ状態で各入口扉３の規制片１３に接しているが、入口扉３が開かれるとダンパー１７のロッド１８は図８のように伸び、規制片１３から離れる。このため閉じてきた入口扉３のスピードを抑え、静かに閉じることが可能となる。
【００２１】
なお図１、図２に示すように、扉レール７の前面にはカバー２１を取付け、内部構造が露出しないようにしておくことが好ましい。図１及び図３以下の図面は何れも、内部構造を明示するために、カバー２１を外した状態である。
【００２２】
このように構成されたラック間通路遮蔽構造は、扉自動閉鎖機構１６によって左右の入口扉３を常に閉鎖状態に維持することができるので、入口扉３が開いたままとなって冷却空気が無駄に漏洩することがない。しかも全体はコンパクトであって見栄えがよく、扉レール７の取付・調整作業も容易である。特に上記の実施形態のように支持レール８にスライドレール９とダンパー１７とを取付けた構造とすれば、支持レール８に調整部１４を取付けるだけでよく、スライドレール９やダンパー１７を個々に調整する作業は不要となるから、作業性が向上する。
【００２３】
なお、上記の実施形態ではラック間通路を冷却空気の流路として説明したが、ラック間通路を暖気の回収用流路として使用する場合にも、本発明はそのまま適用可能であることは、いうまでもない。また、天井部は建物の天井面及び取付けられた垂直板部からなるものでもよい。
【符号の説明】
【００２４】
１  ラック
２  天井部
３  入口扉
４  台部材
５  天井板
６  弾性ゴム
７  扉レール
８  支持レール
９  スライドレール
１０  内側取付金具
１１  外側取付金具
１２  滑車
１３  規制片
１４  調整部
１５  調整孔
１６  扉自動閉鎖機構
１７  ダンパー
１８  ロッド
１９  ネジ
２０  ワイヤ
２１  カバー
【図１】
0006440417.tif 000002
【図２】
0006440417.tif 000003
【図３】
0006440417.tif 000004
【図４】
0006440417.tif 000005
【図５】
0006440417.tif 000006
【図６】
0006440417.tif 000007
【図７】
0006440417.tif 000008
【図８】
0006440417.tif 000009